(57)【要約】【解決手段】籾入口２０から供給された籾を脱ぷ室９内の脱ぷファン１０の回転により脱ぷして玄米と籾殻とを含む混合米を混合米出口２１へ排出する脱ぷ装置２と、混合米入口３１から選別室２７に供給された混合米を送風ファン２４から送られる風の力で比重差により選別して玄米を玄米出口３２へ排出するとともに籾殻を籾殻出口３３へ排出する選別装置３とを互いに並設している。混合米出口２１と選別室２７との間に中間室２８を介在させ、混合米出口２１に面する風衝突部材２９により中間室２８と選別室２７とを区画している。混合米出口２１から中間室２８に混合米とともに噴出する風を風衝突部材２９（通風部材）から籾殻出口３３へ送風する。【効果】互いに並設した脱ぷ装置２と選別装置３とにおいて、籾を玄米と籾殻とに選別する処理経路をコンパクトに配置して籾摺り選別機１の全体を小型化することができる。【選択図】図１
2014213282.tif 000002
【特許請求の範囲】
【請求項１】
籾入口から供給された籾を脱ぷ室内の脱ぷファンの回転により脱ぷして玄米と籾殻とを含む混合米を混合米出口へ排出する脱ぷ装置と、混合米入口から選別室に供給された混合米を送風ファンの風口から送られる風の力で比重差により選別して玄米を玄米出口へ排出するとともに籾殻を籾殻出口へ排出する選別装置とを互いに並設した籾摺り選別機において、
前記脱ぷ室の混合米出口と前記選別室との間に中間室を介在させるとともに、この脱ぷ室の混合米出口に面する風衝突部材によりこの中間室と選別室とを区画し、この中間室に脱ぷ室の混合米出口から供給された混合米を前記混合米入口からこの選別室に供給するようにした
ことを特徴とする籾摺り選別機。
【請求項２】
前記風衝突部材は前記脱ぷ室の混合米出口に面する風衝突面を有する通風部材であって、脱ぷ室の混合米出口から混合米とともに噴出する風を中間室と通風部材とを通して選別室の籾殻出口へ送風するようにしたことを特徴とする請求項１に記載の籾摺り選別機。
【請求項３】
前記通風部材の風衝突面には前記中間室と選別室とを連通する複数の通風孔を設けたことを特徴とする請求項２に記載の籾摺り選別機。
【請求項４】
前記選別室は、前記通風部材の下端部に配設されて前記中間室に連通する混合米入口と、その混合米入口に対する下方で送風ファンの風口を介在させて配設された玄米出口と、前記脱ぷ室の混合米出口からの噴出流域で前記通風部材の上端部に配設された籾殻出口とを有していることを特徴とする請求項３に記載の籾摺り選別機。
【請求項５】
前記通風部材の風衝突面は、通風孔を通過しない風に対し前記選別室の混合米入口に向う旋回流を発生させる屈曲部を有していることを特徴とする請求項４に記載の籾摺り選別機。
【請求項６】
千歯こきを取り付けた供給筒を前記脱ぷ室の籾入口に接続したことを特徴とする請求項１〜５のうちいずれか一つの請求項に記載の籾摺り選別機。
【発明の詳細な説明】
【技術分野】
【０００１】
本発明は、籾を脱ぷして玄米と籾殻とを含む混合米を排出する脱ぷ装置と、その混合米を選別して玄米と籾殻とを排出する選別装置とを互いに並設した籾摺り選別機に関するものである。
【背景技術】
【０００２】
農家の高齢化や米の低価格化などが原因して、稲作の委託及び請負が全国的に行なわれている。請負業者は、コンバインで本格的に稲を刈り取る前に現地の圃場などで少量の生籾を籾摺り選別することができれば、今年の稲の品質や刈取りの適正時期を現地の圃場などで知って、委託農家に説明することができる。営農であれば、今年の稲の品質を知ることにより事前に販売先を思案することもできる。
【０００３】
そこで、例えば下記の特許文献１に示すように、現地の圃場などに簡単に持ち込んで少量の生籾を籾摺り選別することができる携帯に便利な籾摺り選別機が開発されている。
この籾摺り選別機は、籾入口から供給された籾を脱ぷ室内のファンの回転により脱ぷして玄米と籾殻とを含む混合米を混合米出口へ排出する脱ぷ装置と、混合米入口から選別室に供給された混合米を風口から送られる風の力で比重差により選別して玄米を玄米出口へ排出するとともに籾殻を籾殻出口へ排出する選別装置とを備えている。この選別装置は脱ぷ装置に対し回動操作可能に設けられている。そして、この選別装置の回動操作に伴い、選別装置の風口が脱ぷ装置の混合米出口に対し分離されて脱ぷ装置でファンの回転により生じる風を混合米出口から排出させ得る脱ぷ処理状態と、選別装置の風口が脱ぷ装置の混合米出口に対し接続されてそのファンの風を選別装置の風口へ排出させ得る選別処理状態とを取り得る。
【０００４】
この籾摺り選別機では、脱ぷ処理状態で脱ぷ装置のみを独立して機能させて玄米と籾殻とを含む混合米を玄米と籾殻との選別前に回収することができるとともに、脱ぷ装置の混合米出口と選別装置の風口とを管などで互いに接続して脱ぷ後に選別処理状態で脱ぷ装置からの風を有効に利用して選別装置を機能させることができる。
【先行技術文献】
【特許文献】
【０００５】
【特許文献１】特開２０１３−３９５３７号公報
【発明の概要】
【発明が解決しようとする課題】
【０００６】
上記の特許文献１にかかる籾摺り選別機では、携帯に便利なように小型化することが可能となるが、混合米から玄米と籾殻とを選別して回収する場合には、脱ぷ後に選別処理状態で脱ぷ装置からの風を有効に利用するために、脱ぷ装置の混合米出口と選別装置の風口とを管などで互いに接続する必要があり、玄米と籾殻との選別作業が面倒になっていた。また、選別装置が脱ぷ装置に対し回動可能に設けられているので、選別装置の回動スペースを必要として、小型化に際し不利であった。
【０００７】
この発明は、籾摺り選別機において、より一層の小型化を図るとともに、混合米から玄米と籾殻とを効率良く選別することを目的としている。
【課題を解決するための手段】
【０００８】
後記実施形態の図面（図１〜４）の符号を援用して本発明を説明する。
請求項１の発明にかかる籾摺り選別機（１）においては、籾入口（２０）から供給された籾を脱ぷ室（９）内の脱ぷファン（１０）の回転により脱ぷして玄米と籾殻とを含む混合米を混合米出口（２１）へ排出する脱ぷ装置（２）と、混合米入口（３１）から選別室（２７）に供給された混合米を送風ファン（２４）の風口（２４ａ，２４ｂ）から送られる風の力で比重差により選別して玄米を玄米出口（３２）へ排出するとともに籾殻を籾殻出口（３３）へ排出する選別装置（３）とを互いに並設している。前記脱ぷ室（９）の混合米出口（２１）と前記選別室（２７）との間に中間室（２８）を介在させている。この脱ぷ室（９）の混合米出口（２1）に面する風衝突部材(２９)によりこの中間室（２８）と選別室（２７）とを区画している。この中間室（２８）に脱ぷ室（９）の混合米出口（２１）から供給された混合米を前記混合米入口（３１）からこの選別室（２７）に供給するようにしている。例えば、脱ぷ装置（２）に対し選別装置（３）を着脱可能に接続することができ、その着脱の際には、選別装置（３）に設けられた中間室（２８）が脱ぷ装置（２）の混合米出口（２１）に対し接離されるとともに、選別装置（３）の選別室（２７）に挿入された送風ファン（２４）の風口（２４ａ，２４ｂ）が互いに二分されて接離される。
【０００９】
請求項１の発明では、脱ぷ室（９）の混合米出口（２１）と選別室（２７）との間に中間室（２８）を介在させて、脱ぷ室（９）の混合米出口（２１）に面する風衝突部材（２９）によりこの中間室（２８）と選別室（２７）とを区画しているので、互いに並設した脱ぷ装置（２）と選別装置（３）とにおいて、籾を玄米と籾殻とに選別する処理経路をコンパクトに配置して、籾摺り選別機（１）の全体を小型化することができる。
【００１０】
請求項１の発明を前提とする請求項２の発明において、前記風衝突部材（２９）は前記脱ぷ室（９）の混合米出口（２１）に面する風衝突面（３４）を有する通風部材であって、脱ぷ室（９）の混合米出口（２１）から混合米とともに噴出する風を中間室（２８）と通風部材（２９）とを通して選別室（２７）の籾殻出口（３３）へ送風するようにしている。請求項２の発明では、混合米出口（２１）から中間室（２８）に混合米とともに噴出する風を通風部材（２９）から選別室（２７）の籾殻出口（３３）へ送風するので、選別室（２７）で発生する送風ファン（２４）からの風と相俟って、混合米入口（３１）から選別室（２７）に供給された混合米から籾殻のみを籾殻出口（３３）に排出する機能を高めることができる。
【００１１】
請求項２の発明を前提とする請求項３の発明において、前記通風部材（２９）の風衝突面（３４）には前記中間室（２８）と選別室（２７）とを連通する複数の通風孔を設けている。請求項３の発明では、混合米を含む噴流が通風部材（２９）に衝突した際に一部の風のみが各通風孔を通過するので、中間室（２８）で混合米を選別室（２７）の混合米入口（３１）に効率良く供給することができる。
【００１２】
請求項３の発明を前提とする請求項４の発明において、前記選別室（２７）は、前記通風部材（２９）の下端部に配設されて前記中間室（２８）に連通する混合米入口（３１）と、その混合米入口（３１）に対する下方で送風ファン（２４）の風口（２４ｂ）を介在させて配設された玄米出口（３２）と、前記脱ぷ室（９）の混合米出口（２１）からの噴出流域で前記通風部材（２９）の上端部に配設された籾殻出口（３３）とを有している。請求項４の発明では、混合米から玄米と籾殻とを効率良く選別することができる。
【００１３】
請求項４の発明を前提とする請求項５の発明において、前記通風部材（２９）の風衝突面（３４）は通風孔を通過しない風に対し前記選別室（２７）の混合米入口（３１）に向う旋回流を発生させる屈曲部（３４ａ）を有している。請求項５の発明では、中間室（２８）において脱ぷ室（９）の混合米出口（２１）から混合米を選別室（２７）の混合米入口（３１）に効率良く供給することができる。
【００１４】
請求項１〜５のうちいずれか一つの請求項を前提とする請求項６の発明において、千歯こき（８ａ）を取り付けた供給筒（８）を前記脱ぷ室（９）の籾入口（２０）に接続している。請求項６の発明では、籾入口（２０）から混合米を脱ぷ室（９）に効率良く供給することができる。例えば、供給筒（８）を脱ぷ室（９）の籾入口（２０）に対し着脱可能に接続して、千歯こき（８ａ）の使用の有無を選択することができる。
【発明の効果】
【００１５】
本発明は、籾摺り選別機（１）において、より一層の小型化を図るとともに、混合米から玄米と籾殻とを効率良く選別することができる。
【図面の簡単な説明】
【００１６】
【図１】脱ぷ装置と選別装置とを互いに組み付けた籾摺り選別機を正面側から見た断面図である。
【図２】（ａ）は図１の籾摺り選別機の正面図であり、（ｂ）は同じく側面図である。
【図３】図２の籾摺り選別機において脱ぷ装置と選別装置とを互いに分離するとともに脱ぷ装置の千歯こき付き供給筒も分離した状態を示す正面図である。
【図４】（ａ）は図３の脱ぷ装置を示す側面図であり、（ｂ）は図３の選別装置を示す側面図である。
【発明を実施するための形態】
【００１７】
以下、本実施形態にかかる籾摺り選別機ついて図面を参照して説明する。
図１及び図２（ａ）（ｂ）に示すように、籾摺り選別機１は、互いに並設された脱ぷ装置２と選別装置３とを備え、全長４４０ｍｍ、全幅２０５ｍｍ、全高３３０ｍｍ及び総重量８Ｋｇに設定されて、携帯に便利な小型となるように設計されている。
【００１８】
図３及び図４（ａ）にも示す脱ぷ装置２においては、ボックス４上に載設された軸受収容筒５上に脱ぷ筒６が取着され、脱ぷ筒６上にはホッパー７が取着されているとともにホッパー７を囲う供給筒８が着脱可能に取り付けられている。ボックス４の側面には車両の荷台などに保持するために鉤状の引掛部材４ａが取着されている。
【００１９】
脱ぷ筒６内に形成された脱ぷ室９には脱ぷファン１０が収容されている。脱ぷファン１０は、軸受収容筒５から脱ぷ室９に鉛直に延びる回転軸１１を中心に回転する。ボックス４内に収容された電動モータ（図示せず）の回転は回転軸１１に伝えられる。脱ぷファン１０においては、上板１２と下板１３との間に形成された羽根室１４で複数の羽根１５が回転軸１１を中心に回転方向へ等間隔に配設され、羽根室１４の外周が各羽根１５間で脱ぷ室９に開放されている。脱ぷ筒６の内周にはゴムライニング１６が脱ぷファン１０の外周に沿って貼られている。脱ぷ筒６とホッパー７との間には開口（図示せず）を有するシャッター１７が脱ぷ筒６上の支軸１８を中心に手動操作により回動可能に支持されている。シャッター１７の下方で脱ぷ筒６に設けられた口筒１９が回転軸１１の中心で脱ぷ室９を通して脱ぷファン１０の上板１２から羽根室１４に挿入され、口筒１９の外周に形成された供給口１９ａが羽根室１４に開放されている。シャッター１７は、ホッパー７の底部に形成された籾入口２０に対し口筒１９が開口（図示せず）を介して連通する開状態と遮断される閉状態とを取り得る。脱ぷ筒６の外周には玄米と籾殻とを含む混合米の混合米出口２１が、脱ぷファン１０の回転方向に対する接線方向に沿って開放され、ボックス４の片側に取着された側板２２に取着されている。脱ぷファン１０の回転により脱ぷ室９で生じる風は混合米出口２１から排出される。ホッパー７を囲う供給筒８内にはホッパー７の籾入口２０の上方で千歯こき８ａが取着されている。ボックス４の側板２２にはシール体２２ａが貼られている。
【００２０】
図３及び図４（ｂ）にも示す選別装置３は、ボックス４の側板２２に対し並設された選別箱２３と、ボックス４内に収容された送風ファン２４とを備えている。ボックス４の側板２２には混合米出口２１の下方で送風ファン２４の風出口２４ａ（風口）が開放されている。選別箱２３においてボックス４の側板２２に面する側板２５はその側板２２のシール体２２ａに当てがわれ、連結部材２６により両側板２２，２５が互いに締め付けられて、選別装置３が脱ぷ装置２に対し着脱可能に取り付けられている。選別箱２３の側板２５には、脱ぷ筒６の混合米出口２１に連通する噴出口２５ａと、噴出口２５ａの下方で送風ファン２４の風出口２４ａに連通する風入口２４ｂ（風口）とが形成されている。
【００２１】
選別箱２３内に形成された選別室２７は、脱ぷ室９の混合米出口２１に対し中間室２８を介して面する風衝突部材２９と、風衝突部材２９に対向する案内部材３０との間で形成され、送風ファン２４の風入口２４ｂに連通されてその風入口２４ｂから斜め上方に向けて延設されている。また、選別室２７は、風衝突部材２９の下端部に配設されて中間室２８に連通する混合米入口３１と、その混合米入口３１に対する下方で送風ファン２４の風入口２４ｂを介在させて配設された玄米受け３２ａを有する玄米出口３２と、風衝突部材２９及び案内部材３０の上端部に配設されて選別箱２３の外側に開放された籾殻出口３３とを有している。
【００２２】
風衝突部材２９は、脱ぷ室９の混合米出口２１に面する風衝突面３４を有する通風部材であって、中間室２８と選別室２７とを区画し、中間室２８と選別室２７とを連通する多数の通風孔（図示せず）を下端部から上端部にわたり有している。通風孔（図示せず）は混合米（玄米及び籾殻）を通さない程度の開口面積に設定されている。風衝突面３４は脱ぷ室９の混合米出口２１からの噴出流域に面する屈曲部３４ａから斜め上方に延びるとともに斜め下方に延びるく形状に形成されている。
【００２３】
なお、籾摺り選別機１を稼働させる電源としては、現地の圃場などに持ち込む自動車のシガレットソケット及びバッテリーや、屋内における家庭用１００Ｖ電源などを利用することができる。
【００２４】
次に、籾摺り選別機１による籾の選別作用を説明する。
脱ぷ装置２において、供給筒８に挿入した稲穂束から千歯こき８ａにより脱粒された籾は、ホッパー７に落下して籾入口２０から脱ぷ室９に供給され、脱ぷ室９内の脱ぷファン１０の回転により脱ぷされて玄米と籾殻とを含む混合米として混合米出口２１へ排出される。なお、供給筒８を利用しない場合には予め脱粒された籾をホッパー７に投入する。
【００２５】
脱ぷ室９の混合米出口２１から混合米とともに噴出する風は、中間室２８と風衝突部材２９（通風部材）の通風孔（図示せず）とを通して選別室２７の籾殻出口３３へ送風される。中間室２８において、風衝突部材２９（通風部材）の風衝突面３４に衝突した噴出流のうち、通風孔（図示せず）を通過しない風は、風衝突面３４の屈曲部３４ａにより旋回流となって選別室２７の混合米入口３１に向う。その旋回流とともに落下した混合米は混合米入口３１から選別室２７に供給される。
【００２６】
選別室２７において、混合米は送風ファン２４の風入口２４ｂから送られる風の力で比重差により選別され、玄米は玄米出口３２の玄米受け３２ａへ排出されて回収されるとともに、籾殻は籾殻出口３３へ排出されて回収される。
【００２７】
本実施形態は下記の効果を有する。
（１）  脱ぷ室９の混合米出口２１と選別室２７との間に中間室２８を介在させて、脱ぷ室９の混合米出口２１に面する風衝突部材２９によりこの中間室２８と選別室２７とを区画しているので、互いに並設した脱ぷ装置２と選別装置３とにおいて、籾を玄米と籾殻とに選別する処理経路をコンパクトに配置して、籾摺り選別機１の全体を小型化することができるとともに、混合米から玄米と籾殻とを効率良く選別することができる。
【００２８】
（２）  混合米出口２１から中間室２８に混合米とともに噴出する風を風衝突部材２９（通風部材）から選別室２７の籾殻出口３３へ送風するので、選別室２７で発生する送風ファン２４からの風と混合米出口２１からの噴出流とが合流して、混合米入口３１から選別室２７に供給された混合米から籾殻のみを籾殻出口３３に効率良く排出することができる。
【００２９】
（３）  混合米を含む噴流が風衝突部材２９（通風部材）に衝突した際に一部の風のみが各通風孔（図示せず）を通過するので、中間室２８で混合米を選別室２７の混合米入口３１に効率良く供給することができる。
【００３０】
（４）  選別室２７において、混合米入口３１を風衝突部材２９（通風部材）の下端部に配設し、玄米出口３２を混合米入口３１に対する下方で送風ファン２４の風入口２４ｂを介在させて配設するとともに、籾殻出口３３を風衝突部材２９（通風部材）の上端部に配設したので、混合米から玄米と籾殻とを効率良く選別することができる。
【００３１】
（５）  風衝突部材２９（通風部材）の風衝突面３４は通風孔（図示せず）を通過しない風に対し選別室２７の混合米入口３１に向う旋回流を発生させる屈曲部３４ａを有しているので、中間室２８において脱ぷ室９の混合米出口２１から混合米を選別室２７の混合米入口３１に効率良く供給することができる。
【００３２】
（６）  供給筒８の千歯こき８ａにより、籾入口２０から混合米を脱ぷ室９に効率良く供給することができる。
前記実施形態以外にも例えば下記のように構成してもよい。
【００３３】
・  風衝突部材２９の通風孔（図示せず）を省略する。
・  千歯こき８ａを有する供給筒８を省略する。
・  互いに並設した脱ぷ装置２と選別装置３とを着脱不能に一体化する。
【符号の説明】
【００３４】
１…籾摺り選別機、２…脱ぷ装置、３…選別装置、８…供給筒、８ａ…千歯こき、９…脱ぷ室、１０…脱ぷファン、２０…籾入口、２１…混合米出口、２４…送風ファン、２４ａ…風出口（風口）、２４ｂ…風入口（風口）、２７…選別室、２８…中間室、２９…風衝突部材（通風部材）、３１…混合米入口、３２…玄米出口、３３…籾殻出口、３４…風衝突面、３４ａ…屈曲部。
【図１】
2014213282.tif 000003
【図２】
2014213282.tif 000004
【図３】
2014213282.tif 000005
【図４】
2014213282.tif 000006